(57)【要約】【課題】ディスク状記録媒体に記録されている圧縮データを、短時間で再生開始させる。【解決手段】圧縮処理された圧縮データと当該圧縮データを管理する管理情報とが少なくとも記録されるディスク状記録媒体３から、最初に再生されるべき圧縮データについての管理情報を取得し、当該取得した管理情報に基づいてディスク状記録媒体３から圧縮データを読み取り、読み取った圧縮データに伸張処理を施してこれを再生するように制御しつつ、残りの管理情報を取得する。【選択図】  図３
2004192684.tif 000002
【特許請求の範囲】
【請求項１】
圧縮処理された圧縮データと当該圧縮データを管理する管理情報とが少なくとも記録される記録媒体からデータを読み取る読取手段と、
上記読み取られた圧縮データを一時的に格納するためのデータ格納手段と、
上記データ格納手段に一時的に格納された圧縮データを読み出し、これに伸張処理を施すデータ伸張手段と、
上記データ伸張手段により伸張処理されたデータを再生する再生手段と、
上記圧縮データについての管理情報を、上記記録媒体から上記読取手段を介して取得し、取得した管理情報に基づいて上記各手段を制御する制御手段を備え、上記制御手段は、少なくとも最初に再生されるべき圧縮データについての管理情報を取得し、当該取得した管理情報に基づいてデータの再生を実行するように制御しつつ、残りの管理情報を取得すること
を特徴とする記録媒体再生装置。
【請求項２】
上記制御手段は、上記格納手段に一時的に格納されている圧縮データの読み出し状況に応じて、上記残りの管理情報の取得を中断し、次に上記記録媒体から上記圧縮データをさらに読み取るように制御すること
を特徴とする請求項１記載の記録媒体再生装置。
【請求項３】
上記制御手段は、上記格納手段に一時的に格納されている圧縮データが読み出されている場合に、上記読み取り手段により上記残りの管理情報の読み取りを実行させ、さらに上記格納手段に格納されている圧縮データの格納量が所定量以下になった場合に、上記残りの管理情報の取得を中断し、上記読み取り手段により上記記録媒体から圧縮データの読み取りを再開するように制御すること
を特徴とする請求項２記載の記録媒体再生装置。
【請求項４】
上記制御手段は、少なくとも最初に再生されるべき圧縮データについての管理情報を取得し、当該取得した管理情報に基づいてデータの再生を実行するか、或いは、上記管理情報を全て取得した後に、当該取得した管理情報に基づいてデータの再生を実行するかを選択すること
を特徴とする請求項１記載の記録媒体再生装置。
【請求項５】
再生するデータを指定する再生指定手段をさらに備え、
上記制御手段は、上記管理情報を全て取得した後に、当該取得した管理情報に基づいてデータの再生を実行することを選択した場合に、上記再生指定手段により指定されるデータの再生を実行するように制御すること
を特徴とする請求項４記載の記録媒体再生装置。
【請求項６】
上記読取手段は、上記記録媒体から、ＭＰ３（ＭＰＥＧ−１  Ａｕｄｉｏ  Ｌａｙｅｒ３）規格に基づく音楽データを上記圧縮データとして読み取ること
を特徴とする請求項１記載の記録媒体再生装置。
【請求項７】
圧縮処理された圧縮データを記録媒体から読み取り、これを再生する記録媒体再生方法において、
少なくとも最初に再生されるべき圧縮データについての管理情報を記録媒体から取得し、
当該取得した管理情報に基づいて記録媒体から上記圧縮データを読み取り、
上記読み取った圧縮データに伸張処理を施してこれを再生中に、残りの管理情報を取得すること
を特徴とする記録媒体再生方法。
【請求項８】
再生状況に応じて、上記残りの管理情報の取得を中断し、上記記録媒体から圧縮データをさらに読み取ること
を特徴とする請求項７記載の記録媒体再生方法。
【請求項９】
上記読み取った圧縮データを一時格納し読み出しているときに、上記残りの管理情報を取得し、当該格納された圧縮データが所定のデータ量以下となった場合、上記残りの管理情報の取得を中断し、上記記録媒体から圧縮データの読み取りを再開すること
を特徴とする請求項８記載の記録媒体再生方法。
【請求項１０】
少なくとも最初に再生されるべき圧縮データについての管理情報を取得し、当該取得した管理情報に基づいてデータの再生を実行するか、或いは、上記管理情報を全て取得した後に、当該取得した管理情報に基づいてデータの再生を実行するかを選択すること
を特徴とする請求項７記載の記録媒体再生方法。
【請求項１１】
上記管理情報を全て取得した後に、ユーザより指定されるデータを再生すること
を特徴とする請求項７記載の記録媒体再生方法。
【請求項１２】
上記記録媒体から、ＭＰ３（ＭＰＥＧ−１  Ａｕｄｉｏ  Ｌａｙｅｒ３）規格に基づく音楽データを上記圧縮データとして読み取ること
を特徴とする請求項７記載の記録媒体再生方法。
【発明の詳細な説明】
【０００１】
【発明の属する技術分野】
本発明は、ディスク状記録媒体上に圧縮処理されて記録されているデータを短時間で再生開始させることができる記録媒体再生装置及び方法に関する。
【０００２】
【従来の技術】
ディスク状記録媒体としてのＣＤ（Ｃｏｍｐａｃｔ  Ｄｉｓｃ）やＭＤ（Ｍｉｎｉ  Ｄｉｓｃ）が広く普及しており、音楽用途をはじめとして各種分野で使用されている。このディスク状記録媒体には、内周から外周にかけてスパイラル状に形成されたトラックのデータ記録領域に映像や音楽等のコンテンツが記録されている。
【０００３】
また、このディスク状記録媒体には、データ記録領域の内周側に存在するＴＯＣ（Ｔａｂｌｅ  Ｏｆ  Ｃｏｎｔｅｎｔｓ）領域に、管理情報が記録されている。この管理情報は、ディスク状記録媒体のタイトル、コンテンツの記録日時等を示すための情報や、データ記録領域に既に記録されている各コンテンツのアドレス、属性を示すための情報である。ディスク再生装置は、ディスク状記録媒体が挿入されてから取り出されるまでの間、ＴＯＣ領域から管理情報を読み出して各コンテンツを管理する。またディスク再生装置は、自身のＲＡＭに予め格納してあるＦＡＴ（ＦｉｌｅＡｌｌｏｃａｔｉｏｎ  Ｔａｂｌｅ）等のファイルシステムを参照しつつ、ディスク状記録媒体上の各コンテンツの内容、記録された日時、ファイルネーム等を管理する。ちなみに、この管理情報を書き換えることにより、ディスク状記録媒体に記録されているコンテンツの再生、記録順序を容易に入れ替えることもできる（例えば、特許文献１参照。）。
【０００４】
なお、ディスク状記録媒体には、例えばＭＰ３（ＭＰＥＧ−１  Ａｕｄｉｏ  Ｌａｙｅｒ３）規格に基づいて構成される圧縮音楽データも記録することができる。このＭＰ３は、通常の音楽用のＣＤとほぼ同等の音質で再生することを可能としつつ、１曲あたり４〜５ＭＢ前後のサイズで構成することができる音声情報圧縮の規格である。以下、ディスク再生装置により、かかる圧縮音楽データを再生する手順につき、図５を用いて説明をする。
【０００５】
先ずステップＳ６１において、ディスク再生装置は、ディスク状記録媒体から管理情報の取得を開始する。ディスク再生装置は、取得した管理情報の内容を確認し、再生すべき圧縮音楽データのアドレスや属性等を識別する。ディスク再生装置は、この再生すべき圧縮音楽データについての管理情報を全て取得した後、ステップＳ６２へ移行する。
【０００６】
ステップＳ６２において、ディスク再生装置は、取得した管理情報に基づき、ディスク状記録媒体から圧縮音楽データを部分的に読み込み、これを自身のＲＡＭに一時的に格納する。続いてステップＳ６３へ移行し、ディスク再生装置は、ＲＡＭに一時的に格納した圧縮音楽データを読み出してこれに伸張処理を施す。次にステップＳ６４へ移行し、ディスク再生装置は、伸張処理が施された音楽データを順次再生する。
【０００７】
またディスク再生装置は、ステップＳ６２において読み込んだ分の圧縮音楽データにつき、全て再生を終了する前に、ステップＳ６５へ移行し、さらに再生すべき圧縮音楽データが上述したデータ記録領域に残存しているか否か判別する。その結果、ディスク再生装置は、データ記録領域において再生すべき圧縮音楽データが残存していないものと判別した場合には、再生処理を終了する。一方、データ記録領域において再生すべき圧縮音楽データが残存しているものと判別した場合には、再度、ステップＳ６２へ移行して圧縮データの読み込みを続行する。以上の動作を繰り返し実行することにより、ディスク状記録媒体に記録された圧縮音楽データの再生を実現することができる。
【特許文献１】
特開２０００−１５５９６５号公報
【０００８】
【発明が解決しようとする課題】
ところで、高い圧縮率で構成されている圧縮音楽データは、通常の音楽データと比較して１枚のディスク状記録媒体へデータ量を圧縮させて記録することができる。特に、１／１０程度の圧縮率が得られるＭＰ３規格の圧縮音楽データを活用することにより、通常の音楽用ＣＤと比較して１０倍もの音楽コンテンツを１枚のディスク状記録媒体へ記録することも可能となる。
【０００９】
しかしながら、ディスク状記録媒体に対し音楽コンテンツを大量に記録するにつれて、ディスク状記録媒体に記録すべき管理情報のデータ量も膨大となる。このため、図５に示すステップＳ６１における管理情報の取得に長時間を要し、ステップＳ６２における圧縮データの読み込みが遅延し、ひいては、迅速な再生操作を実行することができないという問題点がある。
【００１０】
図６は、図５に基づき説明した再生動作のタイミングチャートを示している。例えばＭＰ３規格に基づく圧縮音楽データをＳ６２にて１秒間で読み込んだ場合には、ステップＳ６４において約１０秒間の再生動作が実行されることになるが、管理情報のデータ量も１０倍程度まで増大する。このため、管理情報を取得するステップＳ６１において長時間を要し、再生開始時が遅延してしまう。
【００１１】
そこで本発明は、上述した問題点に鑑みて案出されたものであり、その目的とするところは、記録媒体に記録されている圧縮データを、短時間で再生開始させることができる記録媒体再生装置及び方法を提供することにある。
【００１２】
【課題を解決するための手段】
本発明者は、上述した課題を解決するために、最初に再生されるべき圧縮データについての管理情報を先ず取得し、当該取得した管理情報に基づいて圧縮データの再生を実行しつつ、残りの管理情報を取得する記録媒体再生装置及び方法を発明した。
【００１３】
すなわち、本発明を適用した記録媒体再生装置は、圧縮処理された圧縮データと当該圧縮データを管理する管理情報とが少なくとも記録される記録媒体からデータを読み取る読取手段と、上記読み取られた圧縮データを一時的に格納するためのデータ格納手段と、上記データ格納手段に一時的に格納された圧縮データを読み出し、これに伸張処理を施すデータ伸張手段と、上記データ伸張手段により伸張処理されたデータを再生する再生手段と、上記圧縮データについての管理情報を、上記記録媒体から上記読取手段を介して取得し、取得した管理情報に基づいて上記各手段を制御する制御手段を備え、上記制御手段は、少なくとも最初に再生されるべき圧縮データについての管理情報を取得し、当該取得した管理情報に基づいてデータの再生を実行するように制御しつつ、残りの管理情報を取得する。
【００１４】
また、本発明を適用した記録媒体再生方法は、圧縮処理された圧縮データを記録媒体から読み取り、これを再生する記録媒体再生方法において、少なくとも最初に再生されるべき圧縮データについての管理情報を記録媒体から取得し、当該取得した管理情報に基づいて記録媒体から上記圧縮データを読み取り、上記読み取った圧縮データに伸張処理を施してこれを再生中に、残りの管理情報を取得する。
【００１５】
【発明の実施の形態】
以下、本発明の実施の形態について、図面を参照しながら説明する。
【００１６】
図１に、本発明を適用したディスク再生装置１のブロック構成図を示す。この図１に示すようにディスク再生装置１は、挿入されたディスク状記録媒体３から圧縮音楽データに応じた再生信号を検出する光学ピックアップ１１と、ディスク状記録媒体３を回転させるスピンドルモータ１２と、光学ピックアップ１１をディスク状記録媒体３の径方向へ移動させるスレッドモータ１３と、光学ピックアップ１１に接続され、ディスク状記録媒体３から検出された上記再生信号を増幅し、これを再生ＲＦ信号として出力するＲＦアンプ１４と、ＲＦアンプ１４からの再生ＲＦ信号を記憶部１７へ送信し、また各種サーボ駆動信号を発生させるディジタルシグナルプロセッサ（ＤＳＰ）１５と、接続されたＤＳＰ１５からのサーボ駆動信号に基づき、スピンドルモータ１２、スレッドモータ１３、並びに光学ピックアップ内の２軸コイルを制御するドライブＩＣ１６と、記憶部１７から再生ＲＦ信号を読み出してこれにデコード処理を施すデコーダ１８と、ＤＳＰ１５に接続され、デコード処理が施されたディジタルオーディオ信号をアナログのオーディオ信号に変換するＤ／Ａコンバータ１９と、Ｄ／Ａコンバータ１９に接続され、上記アナログのオーディオ信号を増幅してオーディオ出力端子へ出力するアンプ２０と、これらの各構成を制御するためのＣＰＵ２１とを備えている。
【００１７】
ディスク状記録媒体３は、ＣＤ−ＲＷメディア等の相変化型の光ディスクであり、内周から外周にかけてスパイラル状にトラックが形成されてなる。図２は、ディスク状記録媒体３のエリア構造１００を最内周側から最外周側にかけて模式的に示した図である。最内周側はエンボスピットにより再生専用のデータが形成されるピット領域１０１とされている。ピット領域１０１より外周には、いわゆる記録再生可能領域としてのグループ領域１０２が形成されている。例えば、グループ領域１０２の内周側の区間が、管理情報を記録するための管理エリア１０２ａとされ、実際の圧縮音楽データが記録されるのは、外周側に位置するプログラムエリア１０２ｂである。なお、プログラムエリアより外周はリードアウトエリア１０３となる。なお、このエリア構造１００は、複数のグループ領域１０２より形成されてなるマルチセッション形式で構成されていてもよい。
【００１８】
管理エリア１０２ａに記録される管理情報は、ディスク状記録媒体３のタイトル、圧縮音楽データの記録日時等を示すための情報や、プログラムエリア１０２ｂに既に記録されている各コンテンツのアドレス、属性を示すための情報である。
【００１９】
プログラムエリア１０２ｂには、例えばＭＰ３（ＭＰＥＧ−１  Ａｕｄｉｏ  Ｌａｙｅｒ３）規格に基づいて構成される圧縮音楽データも記録することができる。このＭＰ３は、通常の音楽用のＣＤとほぼ同等の音質で再生することを可能としつつ、１曲あたり４〜５ＭＢ前後のサイズで構成することができる音声情報圧縮の規格である。
【００２０】
光学ピックアップ１１は、再生時において、上記圧縮音楽データに応じた再生信号、或いはかかる圧縮音楽データについての管理情報を検出する。この光学ピックアップ１１には、ディスク状記録媒体３の記録面に対してレーザ光を照射するためのレーザダイオード、上記レーザ光を集光させる対物レンズ、ディスク状記録媒体３の記録面で反射されたレーザ光を受光する６分割ディテクタ等からなる。
【００２１】
この光学ピックアップ１１は、ドライブＩＣ１６から供給されるフォーカス駆動信号ＦＯＳ及びトラッキング起動信号ＴＲＫに基づき、図示しない２軸コイルを用いて、上記光学ピックアップ１１における対物レンズを光軸方向及び当該光軸方向と直交する方向へ移動させる。
【００２２】
スピンドルモータ１２には、ディスク状記録媒体３を装着するディスクテーブルが一体的に取り付けられる。スピンドルモータ１２は、ドライブＩＣ１６から供給されるスピンドル駆動信号ＳＰＤに基づき、駆動軸を例えば、線速度一定（ＣＬＶ，Ｃｏｎｓｔａｎｔ  Ｌｉｎｅａｒ  Ｖｅｌｏｃｉｔｙ）又は、角速度一定（ＣＡＶ，  Ｃｏｎｓｔａｎｔ  Ａｎｇｕｌａｒ  Ｖｅｌｏｃｉｔｙ）で回転駆動させことにより、ディスクテーブル上に装着されたディスク状記録媒体３を回転させる。
【００２３】
スレッドモータ１３は、ドライブＩＣ１６から供給されるスレッド駆動信号ＳＬＤに基づき、光学ピックアップ１１をディスク状記録媒体１３の径方向へ移動させる。
【００２４】
このような構成からなるスピンドルモータ１２並びにスレッドモータ１３により、ディスク状記録媒体３の回転速度、光学ピックアップ１１の位置等を調整しつつ、光学ピックアップ１１からディスク状記録媒体３の記録面に対してレーザ光を照射する。照射されたレーザ光は、ディスク状記録媒体３の記録面で反射され、再び光学ピックアップ１１における６分割ディテクタにより受光される。光学ピックアップ１１は、６分割ディテクタにより受光したレーザ光に基づき、フォーカスエラー用の検出出力ＳＡ、ＳＢ、ＳＣ、ＳＤとトラッキングエラー検出用の検出出力ＳＥ、ＳＦを得て、これをＲＦアンプ１４へ供給する。また光学ピックアップ１１は、管理エリア１０２ａから検出した管理情報をＲＦアンプ１４へ供給する。
【００２５】
ＲＦアンプ１４は、電流−電圧変換回路、増幅回路、マトリクス演算回路等を備え、光学ピックアップ１１から供給される再生信号を増幅する。このＲＦアンプ１４は、光学ピックアップ１１の６分割ディテクタで得られる検出出力ＳＡ〜ＳＦから、再生ＲＦ信号、トラッキングエラー信号（以下、ＴＥ信号という。）、フォーカスエラー信号（以下、ＦＥ信号という。）等を生成する。再生ＲＦ信号は、検出出力ＳＡ、ＳＢ、ＳＣ、ＳＤの和信号（（ＳＡ＋ＳＢ＋ＳＣ＋ＳＤ））で表示することができ、またＴＥ信号は、検出出力ＳＥ、ＳＦの差信号（ＳＥ−ＳＦ）で表示することができ、さらにＦＥ信号は、検出出力ＳＡ、ＳＢ、ＳＣ、ＳＤの差信号（（ＳＡ＋ＳＢ）−（ＳＣ＋ＳＤ））で表示することができる。ＲＦアンプ１４は、生成した再生ＲＦ信号、ＴＥ信号、ＦＥ信号に加えて、光学ピックアップ１１から送信される管理情報をＤＳＰ１５へ出力する。
【００２６】
ＤＳＰ１５は、ＣＰＵ２１の制御に基づき、入力される再生ＲＦ信号を２値化し、更に誤り訂正処理等を施した上で、デコーダ１８を介して記憶部１７へ送信する。またこのＤＳＰ１５は、ＲＦアンプ１４により生成されたＴＥ信号、ＦＥ信号をドライブＩＣ１６へ送信する。更にこのＤＳＰ１５は、ＣＰＵ２１による制御に従い、デコーダ１８によりデコード処理された再生ＲＦ信号を、Ｄ／Ａコンバータ１９へ送信する。
【００２７】
ドライブＩＣ１６は、ＤＳＰ１５から入力されるＦＥ信号やＴＥ信号に基づき、フォーカス駆動信号ＦＯＳ及びトラッキング起動信号ＴＲＫを生成し、これを光学ピックアップ１１へ供給する。またドライブＩＣ１６は、ＣＰＵ２１による制御に従って、スピンドルモータ１２を所定の速度で回転駆動させるためのスピンドル駆動信号ＳＰＤ、及び光学ピックアップ１１を目的のトラック位置に移動させるためのスレッド駆動信号ＳＬＤを生成し、これをスピンドルモータ１２やスレッドモータ１３へ供給する。
【００２８】
記憶部１７は、例えばＲＡＭ（Ｒａｎｄｏｍ  Ａｃｃｅｓｓ  Ｍｅｍｏｒｙ）等により構成され、ＤＳＰ１５から送信される再生ＲＦ信号を一時的に記憶する。この記憶部１７により記憶されている再生ＲＦ信号は、ＣＰＵ２１による制御に従い、所定のタイミングでデコーダ１８により読み出される。
【００２９】
デコーダ１８は、この記憶部１７から読み出した再生ＲＦ信号につき、デコード処理を行う。これにより、再生ＲＦ信号は、ディジタルオーディオ信号へと伸長される。ディジタルオーディオ信号は、ＤＳＰ１５を介してＤ／Ａ変換器１９へ送信されて、アナログオーディオ信号に変換され、さらにアンプ２０において増幅された後に、オーディオ出力端子から出力されることになる。
【００３０】
ＣＰＵ２１は、ＤＳＰ１５から読み出した管理情報を自身のＲＡＭに一時的に記憶する。またこのＣＰＵ２１は、接続された再生指定部２２を介して、ユーザにより再生の指示を受け、ＲＡＭに記憶した管理情報を参照しつつ、例えば最小曲番の曲から順に再生処理を実行するように各部を制御する。またＣＰＵ２１は、再生指定部２２を介して、ランダム再生やシャッフル再生等の各種再生方法が指定された場合にも、かかる再生処理を実行するように各部を制御する。
【００３１】
次に、本発明を適用したディスク再生装置における再生動作について図３を用いて説明をする。
【００３２】
先ずステップＳ１１において、ユーザによる再生の指示を受けたＣＰＵ２１は、スピンドルモータ１２を初期駆動するための信号を生成して、これをドライブＩＣ１６へ供給する。かかる信号を受けたドライブＩＣ１６は、ディスク状記録媒体３を所定の速度で回転駆動させるためのスピンドル駆動信号ＳＰＤを生成し、これをスピンドルモータ１２へ供給する。またドライブＩＣ１６は、光学ピックアップ１１をディスク状記録媒体３の内周側に位置する管理エリア１０２ａへ移動させるためのスレッド駆動信号ＳＬＤを生成して、これをスレッドモータ１３へ供給する。光学ピックアップ１１は、管理エリア１０２ａで反射されたレーザ光に基づき管理情報を検出する。なお、このステップＳ１１において、光学ピックアップ１１が検出する管理情報は、少なくともプログラムエリア１０２ｂに記録されているデータ種を判別できるものであればよい。検出された管理情報は、ＲＦアンプ１４、ＤＳＰ１５を介してＣＰＵ２１へ送信される。
【００３３】
次にステップＳ１２に移行し、ＣＰＵ２１は、取得した管理情報に基づき、プログラムエリア１０２ｂに記録されているデータ種を判別する。その結果、例えばＭＰ３規格を始めとする圧縮音楽データが、プログラムエリア１０２ｂに記録されているものと判別された場合には、ステップＳ１３へ移行する。一方、圧縮音楽データ以外のデータが記録されているものと判別された場合には、通常の再生動作を実行すべくステップＳ３１へ移行する。
【００３４】
ステップＳ１３において、ＣＰＵ２１は、管理エリア１０２ａから、再び管理情報を検出するための信号を生成し、これをドライブＩＣ１６へ供給する。光学ピックアップ１１は、ドライブＩＣ１６の制御に従い、少なくとも最初に再生されるべき曲（以下、最小曲番の曲という）についての管理情報を読み出す。ちなみに、ステップＳ１３において、この光学ピックアップ１１が検出する管理情報は、最小曲番の曲が記録されているプログラムエリア１０２ｂの開始アドレス等、最小曲番の曲についての再生処理を実現するために最小限必要な情報であれば足り、ディスク状記録媒体３に記録されている全ての管理情報を検出する必要はない。また、このステップＳ１３における処理時間を、例えば１秒間に設定し、ディスク状記録媒体３に記録されている全ての管理情報が検出されていない場合であっても、次のステップへ移行するようにしてもよい。ＣＰＵ２１は、少なくとも最小曲番の曲についての管理情報を取得していれば、ディスク状記録媒体３に記録されている全ての管理情報を取得していなくても、再生を開始させることができるため、再生開始までの時間を短縮化させることができる。
【００３５】
次にステップＳ１４へ移行し、ＣＰＵ２１は、取得した管理情報に基づき、最小曲番の曲が記録されているプログラムエリア１０２ｂの開始アドレスをサーチすべく駆動信号を生成し、これをドライブＩＣ１６へ供給する。かかる信号を受けたドライブＩＣ１６は、光学ピックアップ１１をディスク状記録媒体３の上記プログラムエリア１０２ｂの開始アドレスへ移動させるためのスレッド駆動信号ＳＬＤを生成して、これをスレッドモータ１３へ供給する。その結果、光学ピックアップ１１は、スレッドモータ１３による制御に従い、最小曲番の曲が記録されているプログラムエリア１０２ｂの開始アドレスへ移動することになる。
【００３６】
次にステップＳ１５へ移行し、光学ピックアップ１１は、かかる最小曲番の曲についての圧縮音楽データに基づく再生信号を、プログラムエリア１０２ｂの開始アドレスから順に検出する。この検出された再生信号は、ＲＦアンプ１４において増幅されて再生ＲＦ信号となり、さらにＤＳＰ１５において２値化処理等が施された上で、記憶部１７より一時的に記憶される。ちなみに、このステップＳ１５では、最小曲番の曲全てに相当する再生信号を一度に検出するのではなく、望ましくは記憶部１７の容量、演奏開始時間と照合して複数回に分けて検出する。このとき、上記圧縮音楽データがＭＰ３規格である場合には、通常の音楽データと比較して１／１０程度の圧縮率でディスク状記録媒体３へ記録されているため、仮にこのステップＳ１５において、再生信号の検出に１秒間を要した場合には、１０秒分の演奏時間に相当する再生ＲＦ信号を記憶部１７へ記憶できることになる。
【００３７】
次にステップＳ１６へ移行し、デコーダ１８は、ＣＰＵ２１による制御に従い、記憶部１７に一時的に記憶されている再生ＲＦ信号を順次読み出してデコード処理を実行する。その結果、再生ＲＦ信号は、ディジタルオーディオ信号へと順次伸長されてゆくことになる。ステップＳ１６において伸張されたディジタルオーディオ信号は、そのままアンプ２０を介してオーディオ出力端子から出力される。その結果、最小曲番の曲につき再生が実行される（ステップＳ１７）。ちなみにディスク状記録媒体３から検出した再生信号は、圧縮音楽データに基づくものであるため、これをステップＳ１６において伸張することにより、ステップＳ１５における検出時間の数倍の間、再生処理を続行させることができる。
【００３８】
またステップＳ１６におけるデコード処理と並行して、ＣＰＵ２１は、管理エリア１０２ａにおいて残存している管理情報を検出するための信号を生成し、これをドライブＩＣ１６へ供給する（ステップＳ１８）。光学ピックアップ１１は、ドライブＩＣの制御に従い、ステップＳ１３において検出することができなかった残りの管理情報を読み出す。すなわち、ステップＳ１３では、短時間で再生を開始する観点から、最小曲番の曲についての再生処理を実現するために最小限必要な管理情報のみ取得する場合もあり、全ての管理情報を取得しているとは限らない。従って、このステップＳ１８を設けることにより、ＣＰＵ２１は、残りの管理情報を洩れなく取得することが可能となる。
【００３９】
なお、このステップＳ１８における管理情報の取得は、上述のステップＳ１６と同時に実現する場合のみならず、ステップＳ１６の終了後に実現してもよい。次にステップＳ１９へ移行し、光学ピックアップ１１は、スレッドモータ１３による制御に従い、最小曲番の曲について再生信号を引き続き検出する。このステップＳ１９において検出された再生信号も、ＲＦアンプにて増幅されて再生ＲＦ信号となり、記憶部１７により一時的に記憶されることになる。
【００４０】
次にステップＳ２０へ移行し、デコーダ１８は、ＣＰＵ２１による制御に従い、ステップＳ１９において記憶部１７に一時的に記憶した分の再生ＲＦ信号を順次読み出してデコード処理を実行する。そしてステップＳ２１に移行し、ステップＳ２０において伸張されたディジタルオーディオ信号の再生処理を実行する。ちなみに、このステップＳ２１における再生処理は、ステップＳ１７における再生処理に引き続いて実行するように制御されるため、再生中に音声が途切れることを防止することができる。
【００４１】
なお、上述したステップＳ１８からステップＳ２０の動作は、ステップＳ１７における再生処理と並行して実行される。
【００４２】
ちなみに、ステップＳ２０におけるデコード処理の終了後、ステップＳ２２へ移行し、ＣＰＵ２１は、ディスク状記録媒体３において管理情報が残存しているか否か判別する。その結果、ディスク状記録媒体３に管理情報が残存している場合には、再度ステップＳ１８へ移行し、管理情報の取得を実行するように制御する。一方、ディスク状記録媒体３における管理情報を全て取得した場合には、ステップＳ１９へ移行し、最小曲番の曲について再生信号の検出を続行する。なお、管理情報を全て取得した場合には、最小曲番の曲のみならず、他の曲番の曲を再生することもでき、さらには、シャッフル再生、ランダム再生等も実現可能となる。
【００４３】
なお、このディスク再生装置１は、圧縮音楽データを再生することに加えて、ステップＳ３１以降の処理を実行することにより、通常のＣＤに記録されている音楽データも再生することができる。
【００４４】
ステップＳ３１において、ＣＰＵ２１は、管理エリア１０２ａに記録されている管理情報を全て検出するための信号を生成し、これをドライブＩＣ１６へ供給する。かかる信号を受けたドライブＩＣ１６により、光学ピックアップ１１は、管理エリア１０２ａに記録されている管理情報を全て読み出すように制御される。全ての管理情報が読み出された後にステップＳ３２へ移行し、プログラムエリア１０２ｂに記録されている音楽データの再生が実行されることになる。
【００４５】
次に、本発明を適用したディスク再生装置における再生動作のタイミングにつき、ＭＰ３規格の圧縮音楽データを例にとり説明をする。
【００４６】
図４は、図３に基づき説明した再生動作のステップＳ１３以降のタイミングチャートを示している。先ず０〜１秒の期間において、少なくとも最小曲番の曲についての管理情報を読み出す（ステップＳ１３）。ちなみに、１／１０倍もの圧縮率で構成されるＭＰ３規格では、管理情報のデータ量も１０倍程度まで増大させることができ、またマルチセッションの場合は、何度もＴＯＣを読み返すので、全てＣＰＵ２１側で取得するまでに約２０秒間を要する場合もありうる。このためステップＳ１３では、最小曲番の曲についての再生処理を実現するために最小限必要な情報のみ取得し、次のステップＳ１４へ移行してもよい。これにより、ステップＳ１３における処理を１秒よりも短い時間で実行することができるため、再生開始時間をさらに短縮化させることができる。
【００４７】
また１〜２秒の期間において、取得した管理情報に基づき、最小曲番の曲が記録されているプログラムエリア１０２ｂの開始アドレスをサーチする。そして、かかる最小曲番の曲についての圧縮音楽データに基づく再生信号を、プログラムエリア１０２ｂの開始アドレスから順に検出し、再生ＲＦ信号を生成して、これを記憶部１７に記憶する（ステップＳ１５）。
【００４８】
次の２〜１２秒の期間において、記憶部１７に記憶した再生ＲＦ信号を少しずつ読み出して、ディジタルオーディオ信号へと順次伸長し（ステップＳ１６）、伸張されたディジタルオーディオ信号につき再生処理を実行する（ステップＳ１７）。すなわち、ＭＰ３規格の圧縮音楽データは、通常の音楽データと比較して１／１０程度の圧縮率でディスク状記録媒体３へ記録されているため、ステップＳ１５において再生信号の検出に１秒間を要した場合には、ステップＳ１７において、当該再生信号につき再生処理を約１０秒間続行させることができる。
【００４９】
また、２〜１０秒の期間において、ＣＰＵ２１は、ステップＳ１３において検出することができなかった残りの管理情報を読み出す（ステップＳ１８）。すなわち、この２〜１０秒の期間では、再生ＲＦ信号の伸張，再生と、残りの管理情報の取得とを同時に実行する。ちなみに、１０〜１１秒の期間においてＣＰＵ２１は、記憶部１７に記憶されている再生ＲＦ信号の読み出し状況に応じて、管理情報の読み出し処理を中断するが、これは管理情報から再生信号へと読み出し対象を切り替える際の誤差を吸収するためである。なお、この１０〜１１秒の期間においても管理情報の読み出し処理を続行してもよい。また１１〜１２秒の期間において、最小曲番の曲について再生信号を引き続き検出する（ステップＳ１９）。これは、ステップＳ１５にて検出した再生信号の再生処理が２〜１２秒の期間で終了するため、新たに検出した再生ＲＦ信号を記憶部１７へ一時的に記憶し、次の再生処理に備えるためである。
【００５０】
１２〜２２秒の期間では、記憶部１７に記憶した再生ＲＦ信号を少しずつ読み出して、ディジタルオーディオ信号へと順次伸長し（ステップＳ２０）、伸張されたディジタルオーディオ信号につき再生処理を実行する（ステップＳ２１）。その間、ＣＰＵ２１は、ステップＳ１３、１８において検出することができなかった残りの管理情報を読み出す。かかる動作を繰り返し実行することにより、ＣＰＵ２１は、２５秒までの期間において、２０秒分の管理情報を全て取得することができる。
【００５１】
なお、この図４に示すタイミングチャートはあくまで一例であり、ステップＳ１３からステップ１８までの順序に従うものであれば、いかなるものであってもよい。このため、記憶部１７の容量に応じて、ステップＳ１８における管理情報の取得を中断せずに、一度に全部取得してもよい。
【００５２】
すなわち、本発明を適用したディスク再生装置３では、少なくとも最初に再生されるべき最小曲番の曲についての必要最小限の管理情報を先ず取得し、当該取得した管理情報に基づいて圧縮音楽データの再生を実行しつつ、残りの管理情報を取得する。これにより、圧縮音楽データの再生を短時間で開始させることができる。
【００５３】
特にＭＰ３規格の圧縮音楽データでは、管理情報のデータ量も１０倍程度まで増大するため、２０秒間も管理情報の取得に費やさなければならず、再生開始まで長時間を要してしまうが、本発明を適用したディスク再生装置では、管理情報の取得時間を極力短縮化させて２秒後に再生を開始させつつ、残りの管理情報を後から取得することができる。
【００５４】
またスピンドルモータ１２によりディスク状記録媒体３を高速に回転させることにより、管理情報を高速に読み取る必要もなくなり、ディスク再生装置３全体の消費電力を軽減させることができる。またディスク状記録媒体３を高速回転させながら、上述の再生動作を実現することにより、さらに再生開始までの時間を短縮化させることができる。
【００５５】
さらに本発明を適用したディスク再生装置１は、従来のディスク再生装置と比較して、何ら新たな構成要素を必要とせずに、ＣＰＵ２１から送信する信号を設定し直すことにより、上述の再生動作を実行することができる。このため、製造コストを大幅に削減できる結果、コストパフォーマンスに優れた製品を市場に提供することができる。
【００５６】
なお、本発明は上述した実施の形態に限定されるものではない。ディスク状記録媒体３に圧縮音楽データが記録されている場合のみならず、例えば圧縮画像データが記録されている場合であっても、本発明を適用することができる。
【００５７】
また、このステップＳ１３において、ＣＰＵ２１は、最小曲番の曲のみならず、他の曲番の曲、さらにはシャッフル再生、ランダム再生等の各種再生方法を実行するために最小限必要な管理情報を取得するようにしてもよい。これにより、再生開始時間の短縮化に加えて、各種再生方法を迅速に実行することも可能となる。
【００５８】
なお、本発明では、ディスク上記録媒体を再生するディスク再生装置を例にとり説明をしたが、かかる場合に限定されることなく、例えば半導体メモリ等の他の記録媒体に対しても適用できることは勿論である。
【００５９】
【発明の効果】
以上詳細に説明したように、本発明を適用した記録媒体再生装置及び方法では、最  初に再生されるべき圧縮データについての管理情報を先ず取得し、当該取得した管理情報に基づいて圧縮データの再生を実行しつつ、残りの管理情報を取得する。これにより、ディスク状記録媒体に記録されている圧縮データを、短時間で再生開始させることができる。
【図面の簡単な説明】
【図１】本発明を適用したディスク再生装置のブロック構成図である。
【図２】ディスク状記録媒体のエリア構造を最内周側から最外周側にかけて模式的に示した図である。
【図３】本発明を適用したディスク再生装置における再生動作を示すフローチャートである。
【図４】発明を適用したディスク再生装置における再生動作を示すタイミングチャートである。
【図５】従来のディスク再生装置により、圧縮音楽データを再生する手順を示すフローチャートである。
【図６】従来のディスク再生装置により、圧縮音楽データを再生する手順を示すタイミングチャートである。
【符号の説明】
１  ディスク再生装置、１１  光学ピックアップ、１２  スピンドルモータ、１３  スレッドモータ、１４  ＲＦアンプ、１５  ＤＳＰ、１６  ドライブＩＣ、１７  記憶部、１８  デコーダ、１９  Ｄ／Ａコンバータ、２０  アンプ、２１  ＣＰＵ、２２  再生指定部
【図１】
2004192684.tif 000003
【図２】
2004192684.tif 000004
【図３】
2004192684.tif 000005
【図４】
2004192684.tif 000006
【図５】
2004192684.tif 000007
【図６】
2004192684.tif 000008